(57)【要約】ビデオ・ディスプレイは第１周波数及び該第１周波数よりも高い第２周波数で動作可能なスキャナを含む。スイッチ・モード電源（ＳＭＰＳ）は３つの２次巻線を有するトランスを駆動させる。第１整流器並びにフィルタ及び第２整流器並びにフィルタが該第１の２次巻線及び該第２の２次巻線に関連する。整流器は、該第３の２次巻線に、かつ、スイッチ経由で該第１のフィルタに、結合される。該第１フィルタからのフィードバックは該ＳＭＰＳを制御する。第１動作モードでは、該スキャナは該第１周波数で動作し、該スイッチが開状態となり、該スキャナは該第１フィルタからの第１電圧が供給され、付属機器は該第２フィルタによって第３電圧が供給される。第２動作モードでは、該スキャナは該第２周波数で動作し、該スイッチは閉状態となり、該スキャナは第２電圧で、該第１電圧よりも高いもの、が該第１フィルタより供給され、付属機器は同等の第３電圧が供給される。
2005523629.tif 000002
【特許請求の範囲】
【請求項１】
ビデオ・ディスプレイ装置であって：
偏向巻線において第１偏向周波数及び第２偏向周波数で、偏向電流を選択的に生成する偏向回路出力段；
出力段のコモン電力トランジスタを介して、第１端子での第１供給電圧及び第２端子での第２供給電圧を生成する電源；
該選択された偏向周波数を示す制御信号に対する応答性を有して、該偏向回路出力段に、該第１偏向周波数が選定された場合に該第１供給電圧を、かつ、該第２偏向周波数が選定された場合に該第２供給電圧を、選択的に結合する第１スイッチ；及び
該第１供給電圧と該第２供給電圧とのうちの少なくとも１つに対する応答性を有して、該第１供給電圧と該第２供給電圧とのうちの該少なくとも１つを、負フィードバック経路を介して、調整する電源レギュレータ；
を有することを特徴とするビデオ・ディスプレイ装置。
【請求項２】
請求項１記載のビデオ・ディスプレイ装置であって、更に：
該選択された周波数を示す制御信号に対する応答性を有し、該負フィードバック経路において結合された第２スイッチ；
を有し；
該第２スイッチが、第１状態を、該偏向電流が該第１偏向周波数にある場合に、有し、第２状態を、該偏向電流が該第２偏向周波数にある場合に、有して、粗い調整を備えることを特徴とするビデオ・ディスプレイ装置。
【請求項３】
請求項２記載のビデオ・ディスプレイ装置であって、更に：
微調整を備えるよう該負フィードバック経路に結合された微調整信号のソース；
を有することを特徴とするビデオ・ディスプレイ装置。
【請求項４】
請求項３記載のビデオ・ディスプレイ装置であって、該負フォードバック経路の一部分が該第１供給電圧と該第２供給電圧とのうちの少なくとも１つから得られた情報、該第２スイッチの状態から得られた情報、及び該微調整信号から得られた情報、を含むことを特徴とするビデオ・ディスプレイ装置。
【請求項５】
請求項２記載のビデオ・ディスプレイ装置であって、該第１供給電圧及び該第２供給電圧の各々が該負フィードバック経路を介して調整されることを特徴とするビデオ・ディスプレイ装置。
【請求項６】
請求項１記載のビデオ・ディスプレイ装置であって、更に：
出力トランス；
を有し；
該出力トランスが、該電力トランジスタに結合されて、第１トランス巻線において発生した電圧からの該第１供給電圧及び第２トランス巻線において発生した電圧からの該第２供給電圧を生成し、かつ、負荷回路に結合された、第３供給電圧を生成する、第３トランス巻線を有し；
該第３トランス巻線における１ターン当たりの電圧が該第１偏向周波数と該第２変更周波数との各々で同じ状態のままであることを特徴とするビデオ・ディスプレイ装置。
【請求項７】
請求項１記載のビデオ・ディスプレイ装置であって、更に：
出力トランス；
を有し；
該出力トランスは該第１供給電圧及び該第２供給電圧を生成する該電力トランジスタに結合され、第３供給電圧を生成する、負荷回路に結合された、トランス巻線を有し；
該トランス巻線における１ターン当たりの電圧が該第１偏向周波数及び該第２偏向周波数の各々で同じ状態のままであることを特徴とするビデオ・ディスプレイ装置。
【請求項８】
請求項１記載のビデオ・ディスプレイ装置であって、該電源レギュレータが該第１スイッチの出力端子で生成されたフィードバック信号に対する応答性を有して該第１供給電圧及び該第２供給電圧の各々を調整することを特徴とするビデオ・ディスプレイ装置。
【請求項９】
ビデオ・ディスプレイ装置であって：
偏向巻線において第１偏向周波数及び第２偏向周波数で偏向電流を選択的に生成する偏向回路出力段；
選択的に、該第１偏向周波数が選定された場合に、該偏向回路出力段に印加する第１供給電圧を生成し、選択的に、該第２偏向周波数が選定された場合に、該偏向回路出力段に印加する第２供給電圧を生成する、電力トランスを有する電源；
を有し；
該電力トランスが、第３供給電圧を生成する、負荷回路に結合された、トランス巻線を含み；
更に、該第１供給電圧と該第２供給電圧とのうちの少なくとも１つに対する応答性を有して該第１供給電圧と該第２供給電圧とのうちの該少なくとも１つを、負フィードバック経路を介して、該トランス巻線における１ターン当たりの電圧が該第１偏向周波数及び該第２変更周波数の各々で同じ状態のままであるように、調整する電源レギュレータ；
を有することを特徴とするビデオ・ディスプレイ装置。
【請求項１０】
請求項９記載のビデオ・ディスプレイ装置であって、該電源レギュレータは、該第１偏向周波数が選択された場合には該第１供給電圧に対して、該第２偏向周波数が選択された場合には該第２供給電圧には対して、応答性を有することを特徴とするビデオ・ディスプレイ装置。
【請求項１１】
偏向装置であって：
該偏向装置が第１偏向周波数で動作する場合に第１偏向電圧を生成し、該偏向装置が、該第１偏向周波数とは異なる第２偏向周波数で動作する場合に第２偏向電圧を生成する電源；
を有し；
該電源が更に、フィードバック経路を経由するフィードバックを含み、該フィードバックは該第１偏向電圧と該第２偏向電圧とのうちの該生成される１つを制御する結果にし；
更に、該フィードバック経路に結合されて、該フィードバックが、該第１偏向周波数が選定された場合に第１比例にあるよう、制御し、該第２偏向周波数が選定された場合に、該第１比例とは異なる第２比例にあるよう、制御して、設定電圧の値を維持する結果にする、フィードバック制御手段；及び
該フィードバック経路に結合されて、該第１偏向周波数が選定された場合に該フィードバックに第１電圧補正信号を付加し、該第２偏向周波数が選定された場合に該フィードバックに該第１電圧補正信号とは異なる第２電圧補正信号を付加して、該設定電圧の該値を補正する電圧補正手段；
を有することを特徴とする偏向装置。
【請求項１２】
請求項１１記載の偏向装置であって、該第２偏向電圧が該第１偏向電圧よりも大きく、かつ、該第２偏向周波数が該第１偏向周波数よりも大きいことを特徴とする偏向装置。
【請求項１３】
請求項１１記載の偏向装置であって、該フィードバック経路が該第１偏向電圧及び該第２偏向電圧のうちの該生成される１つに対する該フィードバックの大きさを削減する分圧器を含み；
該フィードバック制御手段は、該分圧器に結合されて、該第２偏向周波数が選定された場合に、該第１比例を該第２比例に変更させる、スイッチド・インピーダンスを有することを特徴とする偏向装置。
【請求項１４】
請求項１１記載の偏向装置であって、該電圧補正手段は、該第１偏向周波数が選定された場合に該フィードバック経路に第１電流を結合し、該第２偏向周波数が選定された場合に該フィードバック経路に該第１電流とは異なる第２電流を結合することを特徴とする偏向装置。
【請求項１５】
電源であって：
フィードバック入力ポートを有する制御可能な変動電圧源；
第１の２次巻線、第２の２次巻線、及び第３の２次巻線を含み、更に、該制御可能な電圧源に結合された１次巻線を含み、該第１の２次巻線、該第２の２次巻線、及び該第３の２次巻線において拍動電圧を生成するトランス；
該第１の２次巻線に結合されて、第１印加電圧を生成する整流及びフィルタ手段；
該第２の２次巻線及び該第３の２次巻線、各々、に結合されて、該第２の２次巻線及び該第３の２次巻線、各々、の両端に発生した該拍動電圧を整流化する第２及び第３の整流手段；
整流拍動電圧を平滑化して第２印加電圧を生成する第２フィルタ手段；
該第２整流手段並びに該第３整流手段及び該第２フィルタ手段に結合されて、第１動作モードにおいて、該第２整流手段を該第２フィルタ手段に、該第３整流手段を除外するように結合し、第２動作モードにおいて、該第３整流手段を該第２フィルタ手段に結合するスイッチ；及び
該第２フィルタ手段及び該変動電圧源の該フィードバック入力ポートに結合されて、該第１動作モードにおいて、該フィードバック入力ポートに該第２印加電圧の第１比例を結合し、該第２動作モードにおいて、該フィードバック入力ポートに該第２印加電圧の、該第１比例とは異なる、第２比例を結合するフィードバック手段；
を有することを特徴とする電源。
【請求項１６】
請求項１５記載の電源であって、該第１動作モードにおいて、該第２フィルタ手段に印加される該整流拍動電圧が特定値を有し、かつ、該第２動作モードにおいて、該第２フィルタ手段に印加される該整流拍動電圧が、該特定値より大きい第２値、を有し、該第２比例が該第１比例よりも少ないことを特徴とする電源。
【請求項１７】
請求項１５記載の電源であって、該第１比例と該第２比例との間の差異が該第１動作モード及び該第２動作モードにおいて該第１印加電圧の同じ大きさを備えるようなものであることを特徴とする電源。
【請求項１８】
請求項１５記載の電源であって、更に：
該第２フィルタ手段に結合されて該第２印加電圧によって印加されるディスプレイ走査装置；及び
該ディスプレイ走査装置に結合されて、該走査が、該第１動作モードにおいては第１周波数にあるよう制御し、かつ、該第２動作モードにおいては該第１周波数とは異なる第２周波数にあるよう制御するディスプレイ走査周波数制御手段；
を有することを特徴とする電源。
【請求項１９】
電源であって：
トランス、及び第１の２次巻線、第２の２次巻線、並びに第３の２次巻線を含み、第１の２次電圧、第２の２次電圧、及び第３の２次電圧を生成するスイッチ・モード電源；
該第１の２次電圧が供給されるよう結合されて第１印加電圧を生成する第１整流及びフィルタ手段；
該第２の２次巻線及び該第３の２次巻線、各々、に結合されて、該第２の２次電圧及び該第３の２次電圧を整流化して第２整流２次電圧及び第３整流２次電圧を生成する第２及び第３の整流手段；
整流２次電圧を平滑化して第２印加電圧を生成する第２フィルタ手段；
該第２整流手段並びに該第３整流手段及び該第２フィルタ手段に結合されて、第１動作モードにおいて、該第２整流手段からの該第２整流２次電圧を該第２フィルタ手段に、該第３整流２次電圧を除外するように、結合し、第２動作モードにおいて、該第３整流２次電圧を該第２フィルタ手段に結合する制御可能スイッチ手段；及び
該第２フィルタ手段及び該スイッチ・モード電源に結合されて、該第２フィルタ手段によって生成された該平滑電圧のサンプルを該スイッチ・モード電源に結合して該スイッチ電源のフィードバック制御を行う制御可能フィードバック手段；
を有し；
該サンプルが該第１動作モードにおいて該平滑電圧の第１比例にあり、該第２動作モードにおいて該第１比例とは異なる第２比例にあることを特徴とする電源。
【請求項２０】
請求項１９記載の電源であって、更に：
該第２フィルタ手段に結合された、ディスプレイのスキャナ；及び
該第１フィルタ手段に結合された該ディスプレイに付属する機器；
を有し；
該スキャナを該第１動作モード及び該第２動作モードにおいて異なる電圧値によって印加し、該付属機器を該第１動作モード及び該第２動作モードにおいて同じ電圧値によって印加することを特徴とする電源。
【発明の詳細な説明】
【技術分野】
【０００１】
本発明は、一般的に、ビデオ・ディスプレイに関し、特に、異なる周波数で動作し得るディスプレイ用電源装置に関する。
【背景技術】
【０００２】
多周波のビデオ・ディスプレイ又はモニタは高品位テレビ（ＨＤＴＶ）視聴と全米テレビジョン方式委員会（ＮＴＳＣ）テレビ視聴との両方の用途で、かつ、コンピュータ・アプリケーション用に、用いられる。現在の技術水準では、電荷結合素子（ＣＣＤ）ディスプレイは、特に大型のものでは、費用がかかりがちであるか、入手可能でなく、一般にキネスコープすなわち受像管のタイプのディスプレイほど輝度が高くないものである。プラズマ・ディスプレイは一般的でないものである。したがって、該キネスコープ・ディスプレイが一般に利用されている。
【０００３】
キネスコープ・ディスプレイは通常、該キネスコープのネック部の近くの、誘導ヨーク、すなわち電磁ヨーク、で該ヨークに対して垂直方向と水平方向との両方の走査電流が印加されて、該受像管を横断する１つ以上の電子ビームを発光ディスプレイ画面に向けて偏向させる磁界を発生させるもの、によって走査される。通常のテレビ用の全米テレビジョン方式委員会（ＮＴＳＣ）標準は約１５，７３４Ｈｚの水平走査周波数及び６０Ｈｚの垂直走査周波数を規定する。垂直偏向回路及び水平偏向回路を中心とした技術分野がかなり伸びてきている。水平走査を行うのに要する水平走査周波数は比較的高く、電力はかなりのものになるので、水平偏向走査回路は通常、共振帰線モードにおいて動作し、該モードにおいては電流及び該電流に関連する電力は次に後続する走査サイクル中に再使用するよう電源に再び、再循環される。
【０００４】
共振水平偏向回路において循環する電流の振幅は主に、Ｂ＋電圧の値によって決まる。該振幅は更に、少なくとも一部分は、所望の走査周波数によって決まる。固定キネスコープウルトル（高）電圧値、固定オーバスキャン量、及び固定インダクタンスを有する水平偏向ヨーク、を有する所定の水平偏向システムについては、走査時間を偏向回路のＢ＋によって乗算した積は一定になる傾向にある。したがって、水平偏向回路に印加される印加電圧すなわちＢ＋を該走査時間によって乗算した値は一定であることが望ましい。従来、多くのビデオ・ディスプレイ・システムは一定のＢ＋を水平偏向システムに印加するよう設計されたものである。
【０００５】
ＨＤＴＶの出現によって、多くの種々のビデオ・フォーマットが顧客によって利用可能なものとなっている。これらのフォーマットの一部は従来のＮＴＳＣ放送テレビ信号のものとは異なる垂直偏向周波数及び水平偏向周波数を有する。ＨＤＴＶに関連した高品位は標準品位テレビよりも高い水平偏向周波数を当然伴うものである。水平周波数が増加すると、走査時間が減少することを、周波数の差異が非常に小さく、帰線時間においてとり得る場合を除いて、要するものである。水平走査周波数が変動する大部分のテレビ・システムについては、帰線時間は一定に保持され、走査時間は変動する。したがって、水平走査周波数が増加するにつれて、走査時間が減少し、走査Ｂ＋は更に、走査時間をＢ＋によって乗算した積が一定になるように、増加する。
【０００６】
テレビ受信機を含む、今日の多くのテレビ・ディスプレイ・デバイスは該デバイスの走査Ｂ＋電圧を誘電性素子、及び２次巻線を有するトランスを含むスイッチ・モード電源（ＳＭＰＳ）から得る。走査Ｂ＋はＳＭＰＳ脈動信号の整流及び該整流に後続するフィルタ化によって走査２次巻線から生成される。多くのそのようなディスプレイ・デバイスでは、複数の電源に対する必要性を回避するよう、ＳＭＰＳは更に、補助電圧すなわちサブ電圧を、水平偏向システム以外のシステム又は回路の動作用に、供給することを要する。例えば、テレビ受信機においては、付属システムはＲＦプロセッサ及びＩＦプロセッサ、ビデオ・プロセッサ並びにサウンド・プロセッサ、コンバーゼンス、及び他を含み得る。これらの付属システムは通常、該システムの印加電圧が一定に保持されることを、たまたま使用されている水平偏向周波数にかかわらず、要する。サブ印加電圧は水平走査又は偏向Ｂ＋が得られるものとは別のＳＭＰＳトランスの２次巻線から得るものであり得る。しかしながら、単にサブ印加電圧を別個の２次巻線から得ることによって該サブ印加電圧が変わらないことは保証されない。ＳＭＰＳトランスにおける巻線毎の巻数は固定であるため、水平走査Ｂ＋を変えることは、更に、サブ印加電圧を変えることになる。
【発明の開示】
【発明が解決しようとする課題】
【０００７】
改良されたビデオ・ディスプレイ装置が望まれる。
【課題を解決するための手段】
【０００８】
本発明の特徴によるビデオ・ディスプレイ装置は選択的に、偏向電流を第１偏向周波数及び第２偏向周波数で偏向巻線において生成する偏向回路出力段、及び、出力段のコモン電力トランジスタを介して、第１端子での第１供給電圧と第２端子での第２供給電圧とを生成する電源を有する。第１スイッチは選定偏向周波数を示す制御信号に対する応答性を有して、選択的に該偏向回路出力段に、該第１供給電圧を該第１偏向周波数が選定された場合に結合し、該第２供給電圧を該第２偏向周波数が選定された場合に結合する。電源レギュレータは該第１供給電圧と該第２供給電圧とのうちの少なくとも１つに対する応答性を有して該第１供給電圧と該第２供給電圧とのうちの該少なくとも１つを、負フィードバック経路を介して、調整する。
【０００９】
本発明のこの特徴によるビデオ・ディスプレイの特定のバージョンでは、第２スイッチは該選定周波数を示す制御信号に対する応答性を有し、該負フィードバック経路において結合される。該第２スイッチは第１状態を、該偏向電流が該第１偏向周波数にある場合に、有し、第２状態を、該偏向電流が該第２偏向周波数にある場合に、有し、粗い調整ができるようにする。該ビデオ・ディスプレイのこのバージョンの別の実施例においては、微調整信号源が該負フィードバック経路に結合されて微調整ができるようにする。この実施例の本質においては、該負フィードバック経路の一部分は該第１供給電圧と該第２供給電圧とのうちの少なくとも１つから得られる情報、該第２スイッチの状態から得られる情報、及び該微調整信号から得られる情報を含む。
【００１０】
本発明のこの特徴による該ビデオ・ディスプレイの別の特定のバージョンでは、該第１供給電圧と該第２供給電圧との各々が該負フィードバック経路を介して調整される。
【００１１】
本発明のこの特徴による該ビデオ・ディスプレイの更に別の特定のバージョンでは、出力トランスが該電力トランジスタに結合されて、第１トランス巻線において発生した電圧から該第１供給電圧を生成し、該トランスの第２トランス巻線において発生した電圧から該第２供給電圧を生成し、該トランスは第３供給電圧を生成する第３トランス巻線で、負荷回路に結合されたもの、を有し、該第３トランスにおける１ターン当たりの電圧は該第１偏向周波数と該第２偏向周波数との各々で同じ状態のままとなる。
【００１２】
更に別の特定のバージョンにおいては、出力トランスが該第１供給電圧及び該第２供給電圧を生成する該電力トランジスタに結合され、該トランスは第３供給電圧を生成するトランス巻線で、負荷回路に結合されるもの、を有し、該トランス巻線における１ターン当たりの電圧は該第１偏向周波数と該第２偏向周波数との各々で同じ状態のままとなる。
【００１３】
別の特定のバージョンでは、電源レギュレータは該第１スイッチの出力端子で生成されたフィードバック信号に対する応答性を有して、該第１供給電圧と該第２供給電圧との各々を調整する。
【発明を実施するための最良の形態】
【００１４】
〔実施例〕
図１では、１０として概括的に表すシステムは垂直偏向コイル１２Ｖ及び水平偏向コイル１２Ｈと連動するキネスコープ１２を含む。ブロック２０は付属機器を表し、該付属機器は、例えば、キネスコープ陰極ドライバ、無線周波数受信器及び中間周波数増幅器、復調器、オーディオ回路、ビデオ・プロセッサなどで、全てがテレビ及びビデオ・ディスプレイ装置に用いることについて周知であるもの、の何れか又は全てを含み得る。水平偏向又は走査の回路は、ブロック１００として示され、水平偏向コイル１２Ｈに接続されて、該水平偏向コイルに対して水平走査信号を印加し、所望の水平偏向を、ブロック１０２として示すソースによって制御される選定水平走査周波数Ｈ１又はＨ２で、発生させる。水平偏向回路１００はＢ＋として表す印加電圧を印加電圧入力ポート１００ｉで供給される。
【００１５】
図１では、概括的に３０として表すスイッチ・モード電源（ＳＭＰＳ）は、電力トランスＴ１端子２並びに４に接続された１次巻線Ｔ１Ｐ、Ｔ１Ｃと表す磁気コア、トランス端子１６並びに１８に接続された第１部分Ｔ１Ｓ１ａとトランス端子１６並びに１９に接続された第２部分Ｔ１Ｓ１ｂとを含む、第１の２次巻線Ｔ１Ｓ１、及びトランス端子１並びに８に接続された回生又は発振を誘導するフィードバック巻線Ｔ１ｆ、を含む電力トランスＴ１を含む。２次巻線部分Ｔ１Ｓ１ａの一端は接地に端子１８経由で接続される。２次巻線部分のＴ１Ｓ１ａとＴ１Ｓ１ｂとの両方ともがトランス端子１６に接続され、部分Ｔ１Ｓ１ａの遠端が接地に接続されるので、端子１６は２次巻線Ｔ１Ｓ１上のタップであるものとみなし得る。別の見方をすれば、端子１６から遠く離れた第２巻線部分Ｔ１Ｓ１ｂの端が端子１９に、２次巻線Ｔ１Ｓ１の２つの直列に接続された部分がタップ端子１６とのタップ２次巻線を形成するように、接続される。
【００１６】
図１の２次巻線Ｔ１Ｓ２は、一端が端子１４経由で接地に結合され、もう一方の端が端子１３に接続される。２次巻線Ｔ１Ｓ２はトランスＴ１と関連し得るそのような複数巻線の何れか１つを表し、各々は、該装置１０の種々の部分を印加する、異なる若しくは別個の出力電圧又は電力を生成する。
【００１７】
更に図１では、ブロック３２はスイッチ・モード電源３０のエレクトロニクス及び電力スイッチングの部分を表す。トランスＴ１の１次巻線Ｔ１Ｐ端子２並びに４は各々、ＳＭＰＳエレクトロニクス及び電力スイッチングのブロック端子３２２並びに３２４に接続され、フィードバック第２巻線Ｔ１ｆ端子１並びに８は各々、ＳＭＰＳエレクトロニクス及び電力スイッチングのブロック端子３１１並びに３２８に接続される。ＳＭＰＳエレクトロニクス及び電力スイッチングの部分３２は、元Ｂ＋を該部分の印加電力源として、下方向に向けられた開三角形シンボル３２ｉｇによって示す、隔離された接地に対してＲＡＷ（元）Ｂ＋と表した端子で、供給される。ＳＭＰＳエレクトロニクス及び電力スイッチングの部分３２はトランスＴ１の１次巻線Ｔ１Ｐに印加される電力Ｂ＋のスイッチングを行って該巻線に対応するインダクタンスにおいて周期的にエネルギを貯蔵し、該貯蔵エネルギが２次巻線Ｔ１Ｓ１、Ｔ１Ｓ２、及びＴ１ｆ上で脈動又は拍動（交流）電圧を生成することを可能にする。２次巻線Ｔ１ｆで生成される該拍動電圧は再び、発振の維持を助長するよう端子３２１並びに３２８経由でスイッチ・モード電源３０のエレクトロニクス及び電力スイッチングの部分３２に結合される。２次巻線Ｔ１Ｓ１及びＴ１Ｓ２上に出現する拍動電圧は、公知のように、整流化され、所望の直接印加電圧を生成するようフィルタ化によって平滑化される拍動電圧を生成する。特に、２次巻線部分Ｔ１Ｓ１ａによってトランス端子１６で生成される拍動電圧は端子０２で電圧を生成するようダイオード又は整流器ＣＲ１０７として示す単一方向の導電素子によって整流化され、平行偏向回路１００に印加する第１「走査Ｂ＋」電圧を生成するよう平滑化するＦ１０１として表すフィルタに印加される。同様に、２次巻線Ｔ１Ｓ２によってトランス端子１３で生成される拍動電圧はダイオード又は整流器ＣＲ１０８として示す単一方向導電素子によって整流化され、ブロック２０として示す付属機器に経路Ｐａを介して印加する直接電圧Ｂ２を生成するようＦ１０２として表すフィルタに印加される。
【００１８】
図１では、トランスＴ１の端子１９で生成される拍動電圧はタップ端子１６で生成される拍動電圧よりも大きいが、それは巻線Ｔ１Ｓ１ｂによって電圧端子１６で出現する電圧に付加されるからである。端子１９での電圧はダイオード又は整流器ＣＲ１０６として示す単一方向導電素子に印加される。素子ＣＲ１０６の陰極での使用可能拍動電圧はリレーＫ１０１の端子Ｋ１に印加される。リレーＫ１０１は更に、巻線ＫＷを有し、該巻線が励磁された場合、可動接触子Ｋ２を接触Ｋ１に接続させ、リレーＫ１０１の図１における非励磁状態においては、そのような接触は行われず、単一方向導電素子ＣＲ１０６には電流は流れない。
【００１９】
図１の装置では、平滑化フィルタＦ１０１の出力での走査Ｂ＋電圧が経路３４を経由して概括的に３８として表す電源制御器で、分圧器２２及びエラー増幅器Ｕ１０３を含むもの、に印加される。分圧器２２は３つの抵抗器、すなわち抵抗器Ｒ１１７、Ｒ１１８、及びＲ１１９で、該３つの抵抗器の間にタップ点２２１及び２２２を有するもの、を含む。該走査Ｂ＋電圧は固定の比率で分圧器２２によって分割され（削減され）、タップ２２１から、Ｕ１０３として示すエラー増幅器で、本実施例においてはテキサス・インスツルメント（Ｔｅｘａｓ  Ｉｎｓｔｒｕｍｅｎｔｓ）社、日本電気（ＮＥＣ）、サムスン（Ｓａｍｓｕｎｇ）社、及び他によって製造されている、型番ＴＬ４３１の集積回路であるもの、の基準入力端子又はポートＵ１０３ｉに、印加される。エラー増幅器Ｕ１０３は該エラー増幅器の端子Ｕ１０３ｇを接地に抵抗器Ｒ１３９経由で接続させている。エラー増幅器Ｕ１０３は該分割フィードバック電圧を内部基準電圧と比較し、フィードバック・エラー信号を生成し、該フィードバック・エラー信号はＳＭＰＳエレクトロニクス及びスイッチ回路３２のエラー信号入力端子３２５に結合されて、既知のディジェネラティブ方式によって該スイッチング電源３０を制御する。
【００２０】
上記で説明したように、スイッチ・モード電源３０は水平偏向回路１００に印加された走査Ｂ＋電圧を検出し、フィードバックを用いて該検出電圧を制御する。該走査Ｂ＋電圧のフィードバック制御が続く限り、水平偏向回路１００及び付属機器２０は正常に励磁される。本発明の特徴によれば、Ｈ駆動ソース１０２はＨ１及びＨ２と表す、別の、すなわち本質的に異なる、水平周波数で水平偏向回路１００を駆動させることができる。本発明の一実施例では、Ｈ１は１５，７３４ＨｚのＮＴＳＣ水平周波数の約２倍の、約３１，４６８Ｈｚに相当するもの、であり、Ｈ２はＮＴＳＣ水平周波数の約２．１４倍の、約３３，７５０Ｈｚに相当するものである。水平偏向ブロック１００の電力入力端子１００ｉに印加される走査Ｂ＋電圧は動作偏向周波数が変動する場合に変更することを、該走査Ｂ＋と、高動作周波数によって発生する削減走査時間、との一定の積を維持するよう、要する。特に、水平偏向回路１００の入力ポート１００ｉに印加される該走査Ｂ＋電圧は理論上、２．１４／２倍、すなわち１．０７倍、だけ増加することを、２．１４／２の動作周波数変動に対する一定の積を維持するために要するが、それは異なるオーバスキャン量によってはずれ得る。
【００２１】
図１では、整流器Ｂ＋スイッチング信号ＲＥＧＢ＋＿ＳＷはポート２４及び信号経路２６を経由してＨソース１０２に入力されて２Ｈと２．１４Ｈとの何れかの水平動作周波数を選定する。スイッチング信号ＲＥＧＢ＋＿ＳＷは水平周波数が２Ｈになる場合に論理低レベルを有し、水平周波数が２．１４Ｈになる場合に論理高レベルを有する。該走査Ｂ＋電圧を上昇させるために、フィードバック分圧器２２を異なる分割比に調整し、それによって、各動作サイクル中にトランスＴ１の１次巻線Ｔ１Ｐにおけるスイッチ・モード電源に貯蔵される電力を増加させ、それによって、２次巻線Ｔ１Ｓ１ａによって生成される拍動電圧及びダイオードＣＲ１０７によって生成される整流拍動電圧を増加させることは単純なことになるものである。これは、しかしながら、トランスＴ１の２次巻線全ての１ターン当たりの電圧を増加させる影響を有するものであり、その結果、図１に表す、第２巻線Ｔ１Ｓ２、ダイオードＣＲ１０８、及びフィルタＦ１０２によって生成される電圧が生成されてブロック２０として示すような付属機器に印加され、それによって今度は、サブ印加電圧において比例する増加をもたらし、該増加は望ましいことでない。
【００２２】
代替として、本発明の特徴によれば、水平偏向回路１００に印加される走査Ｂ＋電圧は別の２次巻線を、リレーＫ１０１によって、平滑化フィルタＦ１０１のある回路に、スイッチングすることによって変更される。フィードバック比率は更に、１ターン当たりの電圧が走査Ｂ＋における変更の関数として変動することがないように、同じフィードバック電圧をエラー増幅器に備えるよう変更する。該走査Ｂ＋の変更は更にスイッチング信号ＲＥＧＢ＋＿ＳＷを接地エミッタ・トランジスタＱ１０５のベースに入力して、該ＲＥＧＢ＋＿ＳＷ電圧が高２．１４Ｈ走査周波数を選定する高い値を有する場合、トランジスタＱ１０５をオン状態にすることによって実現される。高走査周波数が選定された場合、走査時間は減少し、該走査Ｂ＋電圧を増加させることを要する。走査電圧における増加はリレーＫ１０１によって実現され、該リレーにおいては、磁気巻線ＫＷはトランジスタＱ１０５によってそのＯＮ状態において励磁される。リレーＫ１０１磁気巻線ＫＷが励磁された場合、可動子Ｋ２は、ダイオードＣＲ１０６の陰極での整流拍動電圧が平滑化フィルタＦ１０１に印加されるよう、固定子Ｋ１との導電接触の状態にされる。ＣＲ１０６からの該拍動電圧は、ダイオードＣＲ１０７からの拍導線圧よりも大きく、該ＣＲ１０６からの該拍動電圧はダイオードＣＲ１０７をＯＦＦの状態のままにする（ＣＲ１０７が導電状態でなくなるようにする。）。事実上、リレーＫ１０１はＣＲ１０７及びそれと連動する巻線Ｔ１Ｓ１ａをフィルタＦ１０１から切断し、ＣＲ１０６及びそれと連動する巻線対Ｔ１Ｓ１ａ、Ｔ１Ｓ１ｂを該フィルタに接続する。ＣＲ１０６によって生成された整流拍動電圧はＣＲ１０７によって生成されたものよりも大きいため、リレーＫ１０１が２．１４Ｈ動作用に励磁された場合、平滑Ｂ＋も大きくなる。
【００２３】
図１のＳＭＰＳエレクトロニクス及び電力スイッチ３２はそのエラー信号入力ポート３２５にエラー増幅器Ｕ１０３から入力されたディジェネラティブ・エラー信号に応答する。ＳＭＰＳエレクトロニクス及び電力スイッチ３２はそのスイッチのタイミング及び／又は周波数を、該エラー信号に応じて各スイッチ・サイクル中にトランス１次巻線Ｔ１に貯蔵されたエネルギ量を制御する結果となるように、調整する。該エラー信号が、リレーＫ１０１のスイッチングによって発生した走査Ｂ＋の大きさにおける変動の結果、変動する場合、図１に表す第２巻線Ｔ１Ｓ２、ダイオードＣＲ１０８、及びフィルタＦ１０２によって生成されるサブ供給電圧は変動するものであり、特に、第２巻線Ｔ１Ｓ２、ダイオードＣＲ１０８、及びフィルタＦ１０２によって生成される電圧は、フィードバック比率が調整されずにリレーＫ１０１が励磁された場合、減少する。
【００２４】
本発明の特徴によれば、フィードバック分圧は変更され、該変更はリレーＫ１０１のスイッチングから結果としてもたらされる名目走査Ｂ＋における変動に比例することが望ましい。特に、図１では、端子２４及び経路２６経由でＨソース１０２及びトランジスタＱ１０５に入力されたＲＥＧＢ＋＿ＳＷ信号は更に、別のエミッタ接地トランジスタＱ１０４のベースに入力される。トランジスタＱ１０４はそのように、信号ＲＥＧＢ＋＿ＳＷが論理高の場合導電すなわちＯＮ状態となる。Ｇ１０４が導電状態にある場合、抵抗器Ｒ１２０が分圧器２２に挿入されて、分圧比を増加させる。別の言い方をすれば、タップ２２１での分割フィードバック信号は走査Ｂ＋電圧が増加された場合、減衰するので、エラー増幅器Ｕ１０３に印加されるフィードバック電圧は、少なくとも原則的には、同じ状態のままである。したがって、走査Ｂ＋電圧がＣＲ１０７から得られて比較的低いか、ＣＲ１０６から得られて比較的高いかにかかわらず、エラー増幅器Ｕ１０３の入力ポートでのフィードバック・サンプルは同じ状態のままである。フィードバック信号がフィードバック経路の結合比のスイッチングの結果、同じ状態のままであるので、ＳＭＰＳエレクトロニクス及びスイッチのブロック３２は２次巻線Ｔ１Ｓ２を含む２次巻線にサイクル毎で同量のエネルギを移動し続ける。２次巻線Ｔ１Ｓ２がサイクル毎で同量のエネルギを受電する場合、ＣＲ１０８及びフィルタＦ１０２を含む付属電源は付属機器２０を動作するのに同等の出力電圧を生成する。
【００２５】
図１では、別の回路３９が走査Ｂ＋電圧の大きさの遠隔制御を可能にする。別の回路３９はブロック４０として示すメモリ（ＭＥＭ）、更には、信号Ｂ＋ＡＬＩＧＮ（アライン）を生成する、ディジタル・アナログ変換器（ＤＡＣ）を含む。信号Ｂ＋ＡＬＩＧＮはトランジスタＱ１０８のベースに温度補償ダイオードＣＲ１１２及び、抵抗器Ｒ１２７、Ｒ１２８、並びにＲ１２９を含む分圧器経由で入力される。トランジスタＱ１０８はそのエミッタを抵抗器Ｒ１３０に結合させて、該トランジスタはＢ＋ＡＬＩＧＮの大きさに対する線形応答性を有するコレクタ電流を生成し、タップ点２２１で分圧器２２のフィードバック信号の別のオフセットを生成し、該別のオフセットは走査Ｂ＋電圧の微調整を行うのに用い得る。メモリ４０は水平周波数モード全ての間動作可能であるが、ＲＥＧＢ＋＿ＳＷの制御のもとで異なるメモリ位置をアクセスする。該メモリ位置は許容差を補償する値によって予めプログラム化される。この装置の効果はフィードバック比率の粗い調整が抵抗器Ｒ１２０によって備えられ、メモリ４０とＤＡＣ４２との組み合わせをその完全な動的範囲全体で走査Ｂ＋電圧のトリミングを行うのに用い得る。
【００２６】
図１の分圧器２２のタップ２２１からのフィードバック走査Ｂ＋信号を比較することによってＵ１０３によって生成されるエラー信号は図２のエラー信号入力ポート３２５経由でフォトカプラ又は光アイソレータＵ１０１の入力端子Ｕ１０１２に入力される。光アイソレータＵ１０１は、図１のディスプレイ装置１０の部分で、ラインの電位にあり、ＳＭＰＳエレクトロニクス及びスイッチのブロック３２の、ユーザがアクセス可能な又は接地された、部分から隔離されたもの、の間での隔離を備える。抵抗器Ｒ１３７はＵ１０１の端子Ｕ１０１１から端子Ｕ１０１２に結合され、端子Ｕ１０１１は抵抗器Ｒ１１４によって＋１５ｖ電源に接続される。
【００２７】
図２では、１次巻線Ｔ１Ｐは理解を助長するよう端子３２２と３２４との間を外見上、示す。電力ＦＥＴスイッチＱ１０１は１次巻線Ｔ１Ｐの端子３２４を隔離された接地に電流検出抵抗器Ｒ１０９経由で交互にスイッチする。１次巻線Ｔ１Ｐの端子３２２は元Ｂ＋に接続されるので、Ｑ１０１のスイッチングは１次巻線Ｔ１Ｐを元Ｂ＋に対してスイッチする。Ｑ１０１が導電性を有する期間中は、Ｔ１Ｐを通る電流及びＲ１０９を通る電流は増加し、該１次巻線のインダクタンスにおいて貯蔵されるエネルギは付随して増加する。更に、Ｑ１０１が導電性を有し、電流が１次巻線Ｔ１Ｐにおいて増加している期間中は、立ち上がり（＋）フィードバック電圧がフィードバック２次巻線の端子３２１で隔離された接地に対して生成される。該立ち上がり電圧は抵抗器Ｒ１１０、経路２１０、コンデンサＣ１０４、及び抵抗器Ｒ１０６並びにＲ１０７経由で電力スイッチＱ１０１のゲートに印加され、Ｑ１０１を導電状態に保持する結果にする。コンデンサＣ１４０はＱ１０１のゲートに接続され、抵抗器Ｒ１０６及びＲ１０７との共同動作によって該印加ゲート電圧の立ち上がり時間を制限し、それによって無線周波数干渉を削減する結果にする。
【００２８】
隔離された接地に対する図２の端子３２１での電圧は図２のＳＭＰＳの循環動作中には交流である。この交流電圧は別個の電源を駆動するのに用いられ、該電源の１つはＣＲ１０４に関連し、もう１つはＣＲ１０２に関連する。該第１電源はＲ１１０、ＣＲ１０４、Ｃ１２０、及び２次巻線Ｔ１ｆの端子３２８を含む充電経路を有し、該電源はコンデンサＣ１２０の非接地端を、負の電圧で、特定の実施例では約−９又は−１０ボルトであるもの、に充電する。
【００２９】
図２の該第２電源はＣＲ１０２及びコンデンサＣ１０８を含み、該電源は該元Ｂ＋の大きさに比例する結果となる正の電圧を生成するが、それはＢ＋を増加させることによって第２巻線Ｔ１ｆ両端の電圧を増加させるからである。コンデンサＣ１２０両端の該第１電源によって生成される負の電圧は調整電圧が生成される時間中に生成される結果となり、したがって一定である結果となる。
【００３０】
図２のＱ１０３のエミッタは＋０．７ボルトより大きい隔離された接地を上回る電圧に上昇することは、ダイオードＣＲ１０５があるため、可能でない。Ｕ１０１の端子Ｕ１０１４とＵ１０１３との間で接続された光制御トランジスタ２１４が導電状態にあるときはいつでも、Ｑ１０３のエミッタは隔離された接地に対して負の電圧を呈する。ＣＲ１０３はトランジェント保護を備える。コンデンサＣ１１１は制御電圧用フィルタであり、ループ時間定数に関連する。
【００３１】
トランジスタＱ１０２及びＱ１０３は図２で、回生方式で「ＳＣＲ接続」され、Ｑ１０３がＯＮ状態にされれば、Ｑ１０２もＯＮ状態にされ、ＯＮ状態のままになる結果となる。該ＳＣＲ接続対は電力スイッチＱ１０１のゲート間で結合され、光アイソレータＵ１０１のトランジスタ２１４が導電状態にある場合、コンデンサＣ１１１の非接地端子での電圧は負である。したがって、該ＳＣＲ接続対Ｑ１０２、Ｑ１０３が導電状態にある場合、電力スイッチＱ１０１の導電性は低下し、今度は、該電力スイッチのゲートで生成される負の電圧は大きくなる結果となるので、Ｑ１０１は回生方式でＯＦＦの状態になる。該ＳＣＲ接続対Ｑ１０２、Ｑ１０３は、電力スイッチＱ１０１の電源回路における、電流検出抵抗器Ｒ１０９両端に出現する「鋸歯」電圧によって制御される。特に、Ｑ１０１の導電の結果として１次巻線Ｔ１Ｐにおける電流が増加するにつれて、Ｒ１０９上の一層増加する正の電圧はフィルタで、コンデンサＣ１０７及び抵抗器Ｒ１０８を含むもの、を経由してＱ１０３のベースに結合される。該ベース電圧が十分に高い場合は、Ｑ１０３はＯＮ状態になり、それによってＱ１０２がＯＮ状態になり、該対の該導電はＱ１０１のゲートを放電し、Ｑ１０１をＯＦＦ状態にする。Ｑ１０１がＯＦＦ状態であることによって、トランスＴ１に対応するインダクタンスに貯蔵されたエネルギは種々の第２巻線Ｔ１ｆ、Ｔ１Ｓ１、及びＴ１Ｓ２に対する電圧として結合され、使用可能である。
【００３２】
フィードバック第２巻線Ｔ１ｆ上の電圧はＱ１０１がＯＦＦ状態になる場合に反転し、端子３２１上で負になる。該負の電圧はＱ１０１のゲートに抵抗器Ｒ１１０、経路２１０、コンデンサＣ１０４、及び抵抗器Ｒ１０６並びにＲ１０７経由で結合されて、ＯＦＦ状態にＱ１０１を保持する結果にし、更にＳＣＲ接続対Ｑ１０２、１０３をＯＦＦ状態にする。別の見方をすれば、該ＳＣＲ接続対における電流は該トランジスタのアルファ値の和を１未満に削減するのに十分低い値を呈することを要する。抵抗器Ｒ１０３及びＲ１０４は起動抵抗器である。一度起動されると、該回路は回生性を有する。該１次巻線において貯蔵されたエネルギが該２次電源に排出された場合、該１次巻線上の電圧は低下し、３２１を更に大きい正の値にする結果にする。この立ち上がり電圧はＱ１０１のゲートに供給されてもう一度、Ｑ１０１をＯＮ状態にする。
【００３３】
Ｃ１０８上の正の電圧の大きさは該元Ｂ＋が増加するにつれ、更に大きい正の値になる結果となり、この更に大きな正の値の電圧は抵抗器Ｒ１１１経由でＱ１０３のベースに供給され、それによって当該サイクルにおいて早く該ＳＣＲ接続対をＯＮ状態にする結果にして、大きな元Ｂ＋の影響を補償する。抵抗器Ｒ１１２は高負荷に対する応答時間を削減する。
【００３４】
図１の走査Ｂ＋のフィードバック制御はエラー増幅器Ｕ１０３のエラー信号を図２のエラー入力ポート３２５に結合することによって実現される。走査Ｂ＋の値の増加はエラー増幅値Ｕ１０３からのエラー電流を増加させる。光アイソレータＵ１０１のフォトダイオード２１２を通るＵ１０３からのエラー電流の増加によって、放出されるフォトンの量を増加させ、それはトランジスタ２１４におけるベース電流を増加させることに同等である。該増加実効ベース電流によって、同様に、トランジスタ２１４の導電性を高めさせ、それによって該ＳＣＲ接続対Ｑ１０２，Ｑ１０３のうちのＱ１０３のエミッタの負の値を大きくする結果にする。Ｑ１０３のエミッタの負の値が更に大きくなることによって、該エミッタ及び該ＳＣＲ接続対は電流検出抵抗器Ｒ１０９からの鋸歯電圧の低位値で導電性を有するようになるものである。該ＳＣＲ接続対をＯＮ状態にすることはＱ１０１をＯＦＦ状態にすることに関係する。したがって、走査Ｂ＋における増加の結果は、電流の低位値で電力スイッチＱ１０１をＯＦＦ状態にする結果をもたらし、それによってその動作サイクルでは、トランスＴ１に対応するインダクタンスにおけるエネルギの貯蔵が減少する結果をもたらす。該サイクルでのエネルギの貯蔵の減少は走査Ｂ＋を低下させる結果にし、ディジェネラティブ・フィードバック制御が実現される。図２では、Ｒ１１３は、スロー・スタート抵抗器で、初期にＯＮに状態することを遅らせるもの、であり、いくらかのフォールド・バック特性を備える。レジスタＲ１１５はＵ１０１におけるトランジスタ２１４に対する電流制限を備える。
【００３５】
本発明の別の実施例は当業者には明らかになるものである。例えば、走査Ｂ＋を生成するよう直列巻線Ｔ１Ｓ１ａ及びＴ１Ｓ１ｂを記載したが、それらは代替として、別個の、相互に並列の巻線の状態であり得るものであり、巻線Ｔ１Ｓ１ｂの電圧は巻線Ｔ１Ｓ１ａの電圧よりも大きい。
【００３６】
図１の実施例では、当該構成部分は以下の特性を有する：
走査  Ｂ＋                        １２４／１３４ボルト
Ｆ１０１                          ２２０Ｆ、２２Ｈ、１００Ｆ
Ｆ１０２                          ６８０Ｆ、２７Ｈ、１０Ｆ
Ｒ１１７                          １２０Ｋオーム
Ｒ１１８                          １５Ｋオーム
Ｒ１１９                          ３Ｋオーム
Ｒ１２０                          ２００Ｋオーム
Ｒ１２７                          ６Ｋ２オーム
Ｒ１２８                          １Ｍオーム
Ｒ１２９                          １０Ｋオーム
Ｒ１３０                          ６２Ｋオーム
Ｒ１３９                          １０オーム
Ｔ１Ｐ                            巻数：３６
Ｔ１Ｓ１ａ                        巻数：２３
Ｔ１Ｓ１ｂ                        巻数：２
Ｔ１Ｓ２                          巻数：３
Ｔ１ｆ                            巻数：２
Ｑ１０４                          モトローラ社ＢＣ８４７Ｂ
Ｑ１０５                          モトローラ社ＭＰＳａ０６
Ｑ１０６                          モトローラ社ＢＣ８４７Ｂ
図２の実施例では、当該構成部分は以下の特性を有する。
【００３７】
Ｃ１０３                          １．１ｎＦ
Ｃ１０４                          １００ｎＦ
Ｃ１０５                          ４７０ｐＦ
Ｃ１０７                          １ｎＦ
Ｃ１０８                          ４７ｎＦ
Ｃ１０９                          ３３０ｐＦ
Ｃ１１０                          ３３０ｐＦ
Ｃ１１１                          １００ｎＦ
Ｃ１１２                          ２２０ｎＦ
Ｃ１２０                          ２．２ｎＦ
Ｃ１３８                          １８０ｐＦ
Ｃ１４０                          ４７０ｐＦ
Ｑ１０１                          インフィニオン社ＳＰＰ１Ｎ６０Ｃ２
Ｑ１０２                          モトローラ社ＭＰＳ８５９９
Ｑ１０３                          モトローラ社ＭＰＳＡ０６
ＣＲ１０３                        １６ボルト
Ｒ１０１                          ５１Ｋオーム
Ｒ１０３                          １００Ｋオーム
Ｒ１０４                          １２０Ｋオーム
Ｒ１０５                          ３３０オーム
Ｒ１０６                          ４３０オーム
Ｒ１０７                          ７５オーム
Ｒ１０８                          ５１０オーム
Ｒ１０９                          ０．２２オーム
Ｒ１１０                          ６８オーム
Ｒ１１１                          ２２Ｋオーム
Ｒ１１２                          １０Ｋオーム
Ｒ１１４                          １．１Ｋオーム
Ｒ１１５                          ６８０オーム
Ｒ１３７                          １Ｋオーム
【図面の簡単な説明】
【００３８】
【図１】本発明の特徴によるテレビ受信機の一部分の簡易概略図である。
【図２】図１の装置の一部分の、詳細ではあるが、なお簡易の、図である。
【図１】
2005523629.tif 000003
【図２】
2005523629.tif 000004
【国際調査報告】
2005523629.tif 000005